【事件の表示】
　平成　６年特許願第２８９７６８号「医療用清拭布」拒絶査定不服審判事件〔平成　８年　６月　４日出願公開、特開平　８−１４０８８６〕について、次のとおり審決する。
【結　論】
　本件審判の請求は、成り立たない。
【理　由】
１．経緯
　平成　６年１１月２４日　特許出願
　平成１４年　１月１５日　拒絶査定
　平成１４年　２月２１日　本件審判請求
　平成１４年　３月２２日　手続補正書
　平成１６年　５月　６日　拒絶理由通知
　平成１６年　７月１２日　意見書、手続補正書
　
２．本願発明
　本願は、平成１６年７月１２日受付けの手続補正書により補正された特許請求の範囲の請求項１に記載された事項により特定される次のとおりのものである。
　「【請求項１】　内側への一方向通水性プラスチックフィルム又はシートで両面を形成する袋状体内に、保温物質又は保冷物質を封入し、袋状体の外側両面を、全体の厚さが少なくとも数ミリ以上でその引張強さが清拭タオルと同等程度となる厚さで、清拭タオルとしての保温性又は保冷性を有する程に繊維間の空隙体積を大きくした不織布で囲み、これを所定幅の帯状に形成すると共に、その幅方向に所定間隔にミシン目を形成して成る医療用清拭布。」
（以下、上記請求項１に係る発明を「本願発明」という。）
　
３．拒絶理由通知で引用された刊行物に記載された事項
　本願出願前に頒布され、当審の平成１６年５月６日付け拒絶理由通知で引用された次の刊行物には、以下の技術的事項が記載されていると認められる。
　（１）刊行物１：実願昭６３−６１７８４号（実開平１−１６４８９１号）のマイクロフィルム
　実用新案登録請求の範囲に「（１）吸収パッドをポリウレタン不織布で包み込み、該不織布の端部をシールしてなる使い捨てタオル。（２）吸収パッドがポリアクリル酸系高吸水性ポリマーをセルロース系ステープルで包み込んだパッドである実用新案登録請求の範囲第１項記載のタオル。」、
　明細書１頁１４行〜２頁７行に「本考案は新規な理容用使い捨てタオルに関する。（従来の技術）理容室で髪にパーマを施す際、パーマ液が顔にかからないように客の額に巻きつけたり、余分な液を拭取ったりする等の多数のタオルが用いられている。従来は、これらのタオルは洗濯し、繰返し使用されるのが通常である。（考案が解決しようとする問題点）このため、洗濯に人手がかかることは勿論、・・・くり返し使用によりタオルが損傷し、外観上からも、衛生上からも間もなく使用不能となるという問題点があり、安価で且つ、吸湿性、伸縮性、ソフトな風合等の使いやすさを有する使い捨てタオルが要望されている。」、
　同２頁１３行〜３頁９行に「本考案に於て、吸収パッドはたとえば、架橋ポリアクリル酸塩よりなる高吸水性ポリマーを綿状パルプで包み込んだ層が好適である。・・・ポリウレタン不織布は、・・・ポリウレタンを乾式紡糸，湿式紡糸或は溶融紡糸して得られた弾性繊維をシート状に堆積し、繊維を互いに溶着により、或は接着剤により接合させて得られる不織布も好適に用いられる。本考案のタオルは、たとえば、吸収パッドをポリウレタン不織布の上に置き、上からポリウレタン不織布で包み、周辺部を、ヒートシール，インパルス接着，高周波接着，超音波接着，ホットメルト樹脂接着等を用い、シールする方法により好適に製造することができる。」
と、図面とともに記載されており、、これらの記載を参照すると、刊行物１には、
「吸収パッド（ポリアクリル酸系高吸水性ポリマーを綿状パルプ又はセルロース系ステープルで包み込んだものを含む）の外側両面を不織布で囲み、これを所定幅の帯状に形成して成る理容用使い捨てタオル」
の発明が記載されている。
　（２）刊行物２：特開昭６３−６３４５８号公報
　特許請求の範囲に「１扁平袋状シート（１）の少なくとも片側面を半透膜シート（２）で形成し、該半透膜シート（２）の外側を布又は不織布（３）で覆い、前記扁平袋状シート（１）に吸水剤（４）を充填してなることを特徴とする人体発汗分泌物吸収シート。」、
　１頁右下欄１９〜２頁９行に「そこで本発明において、扁平袋状シート（１）の少なくとも片側面を半透膜シート（２）で形成し、この半透膜シート（２）の外側を布又は不織布（３）で覆い、前記扁平袋状シート（１）に吸水剤（４）を充填したことを特徴とする人体発汗分泌物吸収シートを開発したのである。
　本発明に用いる半透膜シート（２）としては、ビニロン、セロハン等の半透膜フィルムで、厚みは、・・・寝具用シーツなどの下側に敷く寝具用としての場合は３０〜５０μ程度が好ましい。」
　２頁右上欄３〜１０行に「少なくとも片側面を半透膜シート（２）で形成した扁平状シート（１）内に吸水剤（４）を充填しているから、人体から分泌しされた発汗物を、半透膜シート（２）を通して吸水剤（４）が吸収し、常に人体の皮膚表面を乾燥させた状態にする作用をする。また、半透膜シート（２）の外側を通気性の良好な布又は不織布（３）で覆っているから、皮膚に対する感触も良好である。」
と記載されている。
　（３）刊行物３：特開平６−２８５００７号公報
　段落【０００６】に「本発明の工程で得られる使い捨て清掃布は、特に清掃作業に利用可能だが、食卓布やテーブルクロス、ハンドタオル、磨き布、ハンカチ等にも利用できる。」、
　段落【００１３】に「使い捨て清掃布を製造するための本発明の工程は、天然または合成繊維あるいはそれらの混紡である編みまたは織り生地片１」、
　段落【００１４】に「本発明の工程では、生地片１は、図１に示すように、得ようとする使い捨て清掃布２の幅に対応する幅Ａを有し、この生地片を横糸の方向に清掃布の長さに応じて距離Ｄの間隔をあけて一連の間欠的横切断線３を設けるが、・・・前記横切断線は、・・・ユーザが残りの生地片１から各使い捨て清掃布２を切り離せるように設ける。」
と記載されている。
　
４．対比、判断
４−１　１つの考え方
（１）対比
　本願発明において、「保温物質又は保冷物質」とはどのようなものか明確でないが、請求項２や実施例において、高分子系の水分吸収剤であるゼリー状のシリコーン樹脂、おがくずチップ、海綿状物質のいずれか又はこれらの混合物が例示されており、水や液体を吸収する物質を意味していると解されることから、刊行物１の吸収パッドのポリアクリル酸系高吸水性ポリマーは本願発明にいう保温物質又は保冷物質といえる。
　そして、本願発明と、上記刊行物１記載の発明を比較すると、刊行物１記載の発明の「綿状パルプ又はセルロース系ステープル」、「理容用使い捨てタオル」と、本願発明の「内側への一方向通水性プラスチックフィルム又はシート」、「医療用清拭布」とは、それぞれ、「保温物質又は保冷物質を包み込むもの」、「布」で共通しているから、両者は、
「保温物質又は保冷物質を包み込むもので保温物質又は保冷物質を包みこみ、保温物質又は保冷物質を包み込むものの外側両面を不織布で囲んで形成して成る布」の点で一致し、下記の点で相違している。
　相違点１：本願発明では、保温物質又は保冷物質を包み込むものが、内側への一方向通水性プラスチックフィルム又はシートで両面を形成する袋状体であり、その袋状体内に保温物質又は保冷物質を封入しているのに対し、刊行物１記載の発明では、そのような構成となっていない点。
　相違点２：本願発明では、不織布は、全体の厚さが少なくとも数ミリ以上でその引張強さが清拭タオルと同等程度となる厚さで、清拭タオルとしての保温性又は保冷性を有する程に繊維間の空隙体積を大きくしたものであるのに対し、刊行物１記載の発明の不織布は、そのような限定がない点。
　相違点３：本願発明では、布は、囲んだ不織布を所定幅の帯状に形成すると共に、その幅方向に所定間隔にミシン目を形成して成る医療用清拭布であるのに対し、刊行物１記載の発明では、ミシン目はなく、理容用使い捨てタオルである点。
　相違点１について検討するため刊行物２をみると、刊行物２には、少なくとも片側面をビニロン、セロハン等のフィルムの半透膜シートで扁平袋状シートを形成し、該扁平袋状シートに吸水剤を充填して封入し、その外側を不織布で覆った人体発汗分泌物吸収シートが記載されているから、扁平袋状シートはその両面を半透膜シートで形成することが記載されているといえ、さらに、「人体から分泌しされた発汗物を、半透膜シート（２）を通して吸水剤（４）が吸収し、常に人体の皮膚表面を乾燥させた状態にする」のであるから、該半透膜シートは、内側への一方向通水性プラスチックフィルム又はシートであるといえ、刊行物１記載の発明のセルロース系ステープルに代えて刊行物２に記載されたシートを用い、相違点１における本願発明のようにすることは、当業者が容易に想到しうることにすぎない。
　次に、相違点２について検討すると、刊行物１記載の発明の使い捨てタオルは理容用のタオルとして使用されるものであるから、明記されてはいないが、全体の厚さが少なくとも数ミリ程度あり、ある程度の引張強さを有すると解されるから、本願発明の相違点２に係る構成とすることは、清拭タオルとして使用できるようにするための単なる設計的事項にすぎず、その場合に、本願発明のように、保温性又は保冷性を有する程に繊維間の空隙体積を大きくすることは、当業者が必要により適宜できる事項にすぎない。
　そうすると、本願発明の相違点２に係る構成とすることは、当業者が容易に想到しうることにすぎない。
　次に、相違点３については、布を所定幅の帯状に形成すると共に、その幅方向に所定間隔にミシン目を形成することによって所定の大きさの布を得ることは、刊行物３に記載されている。また、余分なパーマ液を拭き取ったりする理容用タオルを、医療用清拭布として用いることは適宜なしうることにすぎないから、医療用清拭布に限定した点に格別の意義があるとはいえない。
　そうすると、本願発明の相違点３に係る構成とすることは、当業者が容易に想到しうることにすぎない。
　
　さらに、本願発明の明細書記載の作用効果である「第二の発明の医療用清拭布は、袋状体の間に保温物質又は保冷物質を封入し、その外側を不織布で囲み、これを帯状体として形成して適宜間隔でミシン目を入れるようにしたから、清拭タオルとして使用でき、院内感染の危険を防止でき、かつ保温性又は保冷性を有しているため使用の際の肌触りがよく患者に対し快適性を与えることができるという利点がある。」（段落番号００３１参照）という作用効果は、上記した刊行物１ないし３に記載されたものから予想できる作用効果であって、格別なものということはできない。
　
４−２　別の考え方
　刊行物１に記載された発明において、吸収パッド（ポリアクリル酸系高吸水性ポリマーを綿状パルプ又はセルロース系ステープルで包み込んだものを含む）は液体を吸収するものであるから、本願発明の「保温物質又は保冷物質」に相当するといえ、その場合には、次のように考えられる。
（１）対比
　本願発明と、上記刊行物１記載の発明を比較すると、刊行物１記載の発明の「吸収パッド」は、パーマ液のような液体を吸収することから本願発明の「保温物質又は保冷物質」に相当し、刊行物１記載の発明の「理容用使い捨てタオル」と本願発明の「医療用清拭布」は、「布」で共通しているから、両者は、
「保温物質又は保冷物質の外側両面を不織布で囲んで形成して成る布」の点で一致し、下記の点で相違している。
　相違点１：本願発明では、保温物質又は保冷物質は、内側への一方向通水性プラスチックフィルム又はシートで両面を形成する袋状体内に封入されているのに対し、刊行物１記載の発明においては、保温物質又は保冷物質は袋状体内に封入されていない点。
　相違点２：本願発明では、全体の厚さが少なくとも数ミリ以上でその引張強さが清拭タオルと同等程度となる厚さで、清拭タオルとしての保温性又は保冷性を有する程に繊維間の空隙体積を大きくした不織布で囲んでいるのに対し、刊行物１記載の発明では、そのような限定がない点。
　相違点３：本願発明では、布は、囲んだ不織布を所定幅の帯状に形成すると共に、その幅方向に所定間隔にミシン目を形成して成る医療用清拭布であるのに対し、刊行物１記載の発明では、ミシン目はなく、理容用使い捨てタオルである点。
　相違点１について検討するため刊行物２をみると、刊行物２には、少なくとも片側面をビニロン、セロハン等のフィルムの半透膜シートで扁平袋状シートを形成し、その外側を不織布で覆った人体発汗分泌物吸収シートが記載されているから、扁平袋状シートはその両面を半透膜シートで形成することが記載されているといえ、さらに、該扁平袋状シートには吸水剤が充填して封入され「人体から分泌しされた発汗物を、半透膜シート（２）を通して吸水剤（４）が吸収し、常に人体の皮膚表面を乾燥させた状態にする」のであるから、該半透膜シートは、内側への一方向通水性プラスチックフィルム又はシートであり、吸収剤（４）は本願発明でいう「保温物質又は保冷物質」に相当するものといえる。
　そうすると、刊行物２の保温物質又は保冷物質は、内側への一方向通水性プラスチックフィルム又はシートで両面を形成する袋状体内に封入されているといえ、上記相違点１に係る本願発明の構成が記載されているといえるから、刊行物１記載の発明のタオルに刊行物２に記載された上記構成を適用して、相違点１における本願発明のようにすることは、当業者が容易に想到しうることにすぎない。
　また、相違点２、相違点３については、上記４−１の相違点２、相違点３に係る構成ついて検討したとおりである。
　
　さらに、本願発明の明細書記載の作用効果である「第二の発明の医療用清拭布は、袋状体の間に保温物質又は保冷物質を封入し、その外側を不織布で囲み、これを帯状体として形成して適宜間隔でミシン目を入れるようにしたから、清拭タオルとして使用でき、院内感染の危険を防止でき、かつ保温性又は保冷性を有しているため使用の際の肌触りがよく患者に対し快適性を与えることができるという利点がある。」（段落番号００３１参照）という作用効果は、上記した刊行物１ないし３に記載されたものから予想できる作用効果であって、格別なものということはできない。
　
５．まとめ
　以上のように、本願発明は、上記刊行物１ないし３記載の発明から当業者が容易に発明できたものであって、特許法第２９条第２項の規定により特許を受けることができず、本願の他の請求項に係る発明を検討するまでもなく、本願は拒絶をすべきものである。
　よって結論のとおり審決する。